(57)【要約】      （修正有）【課題】灯油や飲料水等を市販のポリタンクに入れて運搬する際、ほとんどの人が車両等のトランクに収納するか荷台に積載している。しかしながらそのポリタンクの缶形状が安定的でなく、車両等で運搬する際、ポリタンクが転倒し内容物が飛散する恐れがある。【解決手段】両サイドにポリタンクの把持部に嵌合する嵌合部５を有する掴み部と、それらを連結せしめるアーム部４をＹ字形に一体成型したポリタンク転倒防止固定具である。本考案は複数のポリタンクの把持部を連続して連結することが可能である、と共に模擬把持部、支持フレームを補助具としてポリタンク１個でも固定でき、車両等で運搬する際、ポリタンクの転倒を防止できる。【選択図】図１
0003107122.tif 000002
【実用新案登録請求の範囲】
【請求項１】
両サイドにポリタンク（１０）の把持部（９）に嵌合する嵌合部（５）を有する掴み部ａ（１）、掴み部ｂ（２）、掴み部ｃ（３）と、それらを連結せしめるアーム部（４）からなる、着脱可能なポリタンク転倒防止固定具。
【請求項２】
掴み部ａ（１）は他の掴み部ｂ（２）及び掴み部ｃ（３）と３点で連結するとき、強度が均一となるよう他の掴み部より幅広にし、２個のポリタンクを連結する際、その結束をより強固にするため、３箇所の掴み部をアーム部（４）と共にＹ字形に一体成型したことを特徴とする、請求項１記載のポリタンク転倒防止固定具。
【請求項３】
３個以上のポリタンク（１０）を連結する際、容易に連結できるようＹ字形の掴み部ｂ（２）、掴み部ｃ（３）の間に次のポリタンク転倒防止固定具の掴み部ａ（１）が嵌合連結し、ポリタンク（１０）の隙間が最少となるように連続してポリタンク（１０）を連結可能にしたことを特徴とする、請求項１、２記載のポリタンク転倒防止固定具。
【請求項４】
１個のポリタンクを運搬するとき、車両の鉄板（２０）に模擬把持部（１４）を取り付け、その下方に同じく取り付けた先端にマジックテープａ（商品名）（１８）が付いた支持フレーム（１６）の２つを補助具として、ポリタンクの転倒防止を可能にしたことを特徴とする、請求項１，２，３、記載のポリタンク転倒防止固定具。
【考案の詳細な説明】
【技術分野】
【０００１】  本考案は、例えば灯油や飲料水等を収容したポリタンクを車両等に積載し運搬する際に使用する、ポリタンク転倒防止固定具に関する。
【背景技術】
【０００２】  従来から、一般家庭ではガソリンスタンドや小規模店舗等において灯油等を購入し運搬するには１８リットル、２０リットル程度の一般に市販されているポリタンクに入れ車両等に積載し運搬している。ところがこれらのポリタンクの形状は必ずしも安定的ではなく車両等に積載し運搬する際、転倒し内容物が飛散する恐れがある。そのため、通常はトランク内に収納したり荷台に積載する際は、２個以上のポリタンクを紐等で縛って転倒しないようにしたり、ポリタンクが複数個入る箱等に入れて転倒しないようにしている。【０００３】  例えば、（特許文献１参照）「ポリタンク転倒防止具」においては、ポリタンクの底面積が大きくなるような転倒防止具を２箇所ベルトで取り付けることとしてある。【０００４】  （特許文献２参照）「容器類転倒防止枠」では、折りたたみ可能な外枠の中を容器が複数個入る仕切板を取り付けた箱用のものに容器を複数個入れることとしてある。【０００５】  （特許文献３参照）「灯油タンク転倒防止装置」は金属製のパイプでブックエンドを２本合わせた形状とし、その中の空間に灯油タンクを入れ、張り出したフレームで灯油タンクの底面が大きくなるものとしてある。【０００６】
【特許文献１】特開２００３−１３７２９７号公報
【特許文献２】実開平５−１０２４９号公報
【特許文献３】実用新案登録第３０５３７４３号公報
【考案の開示】
【考案が解決しようとする課題】
【０００７】  前述したように、石油等を収容したポリタンクを車両等で運搬する際、トランク内に収納したり荷台に積載する。そのときポリタンク同士の把持部を紐で縛ってもポリタンク同士を一体化するにはいたらず、把持部を止めている紐の結び目が動いたり、把持部の結束が２点のためポリタンク同士がずれて転倒することがあった。【０００８】  「ポリタンク転倒防止具」はポリタンクの底面積が大きくなるような転倒防止具を２箇所ベルトで取り付け、ポリタンクの転倒を防止する方法である。これはポリタンク１個に対しては有効であるが、複数個の転倒防止具を保有せねばならず、ポリタンク１個当たりの保管面積が増えトランクに入る個数も制限される等使用上不便な点が多い。【０００９】  「容器類転倒防止枠」は転倒に対しては有効であるが使用の都度枠を組み立てねばならず不便であると共に、容器の個数に制約条件が生じ使用時不便である。【００１０】  「灯油タンク転倒防止装置」は金属製のパイプでブックエンドを２本合わせた形状とし、その中の空間に灯油タンク等を入れるというものであるが、前述した「ポリタンク転倒防止具」と同様に底面積を増やし灯油タンクの転倒を防止する方法である。これは灯油タンク１個に対しては有効であるが複数個の防止具を保有せねばならず、灯油タンク１個当たりの保管面積が増えトランクに入る個数も制限される等使用上不便な点が多い。
【課題を解決するための手段】
【００１１】  本考案は、両サイドにポリタンクの把持部に嵌合する嵌合部を有する掴み部とそれらを連結せしめるアーム部で構成され、ポリタンクの把持部に簡単に着脱可能なポリタンク転倒防止固定具である。【００１２】  本考案において、図１のように片方が１箇所もう一方が２箇所、都合３箇所の掴み部をＹ字形に一体成型しポリタンク間の結束力をより強固にし、ポリタンクをより安定的な形状にすることによって、車両等の動きに起因するポリタンクの転倒に対処するものである。【００１３】  ３つ以上のポリタンクを連結する際、Ｙ字の２箇所方向の掴み部の間に１箇所の掴み部が嵌合し、本考案のみで複数のポリタンクの連結が可能である。【００１４】  前述したように課題を解決する手段は複数のポリタンクについて述べたものであるが、ポリタンク１個の場合でも図６、７のように車両等の鉄板に模擬把持部と支持フレームからなる補助具を取り付けることにより、本考案で２個のポリタンクを嵌合連結させたのと同じ状態を作り出すものである。
【考案の効果】
【００１５】  本考案でポリタンクが簡単に連結でき、例えば、２個のポリタンクを連結するとトランクや荷台の床面に対し底面積は従来のポリタンク単体の２倍となり、転倒に対して安定形状となるため車両等で運搬時ポリタンクの転倒を防止できる。【００１６】  本考案のポリタンク転倒防止固定具は複数のポリタンクを誰でも簡単かつ容易にトランク内で連結することができ、転倒に対してより安定的な一体容器を構成できる。【００１７】  本考案のポリタンク転倒防止固定具は構造が簡単かつ軽量で、使用しない時は複数個の本品を凸部と凹部を嵌め込むことにより一体化でき簡単便利に収納できる。【００１８】  ポリタンクが１個の場合は図６、７のように、車両等の鉄板に模擬把持部と支持フレームからなる補助具を取り付けることにより、本考案で２個のポリタンクを嵌合連結したのと同じ効果を得ることができる。
【考案を実施するための最良の形態】
【００１９】  両サイドにポリタンクの把持部に嵌合する嵌合部を有する掴み部ａ、掴み部ｂ、掴み部ｃと、それらを連結せしめるアーム部からなる着脱可能なポリタンク転倒防止固定具である。掴み部ａは他の２箇所の掴み部との３箇所での連結時、掴み部にかかる力が均一となるよう他の掴み部より幅広にし、ポリタンクを連結する際その結束をより強固にするため、３箇所の掴み部をアーム部を介しＹ字形に一体成型している。又、３つ以上のポリタンクを連結する際、容易に連結できるようＹ字形の掴み部ｂ、掴み部ｃの間に次のポリタンク転倒防止固定具の掴み部ａが嵌合連結し、ポリタンクの隙間が最少となるよう連続してポリタンクを連結できるポリタンク転倒防止固定具である。
【実施例】
【００２０】  ３つの掴み部の形状で掴み部ａ１は他の２箇所の掴み部より幅広く、掴み部ｂ２、掴み部ｃ３はＹ字形の２方向の先端に位置し、３箇所で２つのポリタンクを連結する。これは車両等の動きによりポリタンクの転倒しようとする力が均一に分散する形状としたものである。【００２１】  又、掴み部ａ１から掴み部ｂ２のセンターまでのアーム４を含んだ長さは二つのポリタンクを並べた時の把持部９間とほぼ同じ長さとし、把持部９と嵌合部５がタイトに嵌合され、連結状態のポリタンクがより強固に一体化されるようにしたものである。【００２２】  全ての掴み部の内側はガイド部６を有しているため、ポリタンクの把持部９に容易に嵌合できる。又、本考案を取り外す時はガイド部６に指を掛けて持ち上げれば容易にポリタンクの把持部９から外す事ができる。【００２３】  又、本考案はその形状のみならず、弾性係数が高い材質を使用することにより、運搬する際、車両等からポリタンクが受けるあらゆる方向に転倒しようとする力を吸収し、本考案の破断を防ぐと共にポリタンクの一体化をより強固にするものである。【００２４】  更に、本考案の効果をより完全なものとするために、図５のごとくポリタンクの下方両面にマジックテープ２（商品名）を接着させておき、ポリタンクを並べた時点でポリタンク同士がマジックテープ２によりある程度一体化されるようにした。【００２５】  ポリタンク１個のときに使用する補助具、図６、７について述べると、ベースプレート１（１２）に直角に接着した２個の支持プレート（１３）により保持された摸擬把持部（１４）を有するものをポリタンクの把持部の代用品として両面テープ（商品名）（１１）で車両鉄板に取り付ける。同じく、その下方にベースプレート２（１５）に直角に接着させた支持フレーム（１６）の先端には直角に受けプレート（１７）を取り付け、それにマジックテープ１（商品名）（１８）を貼り付けたものをポリタンクの代用品として両面テープ（商品名）（１１）で車両鉄板に取り付ける。このような構成により、本考案は２個のポリタンクを嵌合連結しているのと同じ状態を作りだすものである。
【図面の簡単な説明】
【００２６】
【図１】    本考案の斜視図である。
【図２】    上面図である。
【図３】    正面図である。
【図４】    本考案を使用したポリタンクの連結上面図である。
【図５】    マジックテープ（商品名）による補助連結側面図である。
【図６】    本考案を使用したポリタンク１個の固定上面図である。
【図７】    本考案を使用したポリタンク１個の固定側面図である。
【符号の説明】
【００２７】    １．掴み部ａ
２．掴み部ｂ
３．掴み部ｃ
４．アーム部
５．嵌合部
６．ガイド部
７．凸部
８．凹部
９．把持部
１０．ポリタンク
１１．両面テープ（商品名）
１２．ベースプレート１
１３．支持プレート
１４．模擬把持部
１５．ベースプレート２
１６．支持フレーム
１７．受けプレート
１８．マジックテープ１（商品名）
１９．マジックテープ２（商品名）
２０．車両鉄板
【図１】
0003107122.tif 000003
【図２】
0003107122.tif 000004
【図３】
0003107122.tif 000005
【図４】
0003107122.tif 000006
【図５】
0003107122.tif 000007
【図６】
0003107122.tif 000008
【図７】
0003107122.tif 000009